【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
ストレージ・メディアと、
前記ストレージ・メディアに格納された複数の命令とを備え、前記命令は、ビデオ・データのマクロブロックのイントラ符号化、及び、ビデオ・データのイントラ符号化されたマクロブロックの復号化のうち選択されたものを実行するように設計され、イントラ符号化されたマクロブロックは、以下のように第１の予測モードの下で予測されたピクセル値のＭ×Ｎサブブロックを含み、
ｉ＝０−（Ｎ−１）、ｊ＝０−（Ｍ−１）について、
ｔ0〜ｔN及びｌ0〜ｌMが使用可能である場合、
Ｐij＝（ｔ0＋．．．＋ｔN＋ｌ0＋．．．＋ｌM＋Ｎ／２＋Ｍ／２）／（Ｍ＋Ｎ）、
そうでなければ、ｔ0〜ｔNのみが使用可能である場合、
Ｐij＝（ｔ0＋．．．＋ｔN＋Ｎ／２）／Ｎ、
そうでなければ、ｌ0〜ｌMのみが使用可能である場合、
Ｐij＝（ｌ0＋．．．＋ｌM＋Ｍ／２）／Ｍ、
そうでなければ、
Ｐij＝１２８、
ただし、Ｐijは前記Ｍ×Ｎサブブロックのピクセル値であり、ｉ及びｊは前記Ｍ×Ｎサブブロック内の行と列の位置を示すインデックスであり、
ｔ0〜ｔNは前記Ｍ×Ｎサブブロックの上の隣接サブブロックのピクセル値であり、
ｌ0〜ｌmは前記Ｍ×Ｎサブブロックの左の隣接サブブロックのピクセル値である装置。
【請求項２】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値のＭ×Ｎサブブロックを含み、ピクセル値の列は以下のように予測され、
ｔ0〜ｔNが使用可能である場合、Ｐij＝ｔjである請求項１に記載の装置。
【請求項３】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値のＭ×Ｎサブブロックを含み、ピクセル値の行は以下のように予測され、
ｌ0〜ｌNが使用可能である場合、Ｐij＝ｌiである請求項１に記載の装置。
【請求項４】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表１】
2005532768.tif 000001
のうち選択されたものに従って予測される請求項１に記載の装置。
【請求項５】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表２】
2005532768.tif 000002
のうち選択されたものに従って予測される請求項１に記載の装置。
【請求項６】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表３】
2005532768.tif 000003
のうち選択されたものに従って予測される請求項１に記載の装置。
【請求項７】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表４】
2005532768.tif 000004
のうち選択されたものに従って予測される請求項１に記載の装置。
【請求項８】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表５】
2005532768.tif 000005
のうち選択されたものに従って予測される請求項１に記載の装置。
【請求項９】
前記命令は、マクロブロックのイントラ符号化と、そのイントラ符号化されたマクロブロックの復号化のうち選択されたものを実行するようにさらに設計され、イントラ符号化されたマクロブロックは、第２の予測モードの下で予測されたピクセル値の４×８サブブロック、８×４サブブロック、８×８サブブロックのうち少なくとも１つの選択されたものを含み、ピクセル値の対角は
【表６】
2005532768.tif 000006
のうち選択されたものに従って予測される請求項１に記載の装置。
【請求項１０】
前記装置は、前記命令を実行するために前記ストレージ・メディアに結合されたプロセッサをさらに備える請求項１に記載の装置。
【請求項１１】
前記装置は、前記ストレージ・メディアと前記命令を備えるエンコーダ及びデコーダのうち少なくとも１つの選択されたものを備える請求項１に記載の装置。
【請求項１２】
前記装置は、パーム・サイズの演算装置、無線携帯電話、携帯情報端末、ラップトップ演算装置、デスクトップ演算装置、セットトップ・ボックス、サーバ、コンパクト・ディスク・プレイヤー、デジタル多用途ディスク・プレイヤー、テレビ、表示モニターのうち選択されたものを備える請求項１１に記載の装置。
【請求項１３】
前記装置は、ビデオ・ドーター・カード、及び、統合ビデオ機能を有するマザーボードを備える請求項１１に記載の装置。
【請求項１４】
ビデオ・データの少なくとも１つのマクロブロックを格納するためのストレージ・メディアと、
前記ストレージ・メディアに結合され、ビデオ・データのマクロブロックのイントラ符号化と、そのビデオ・データのイントラ符号化されたマクロブロックの復号化のうち選択されたものを実行するためのロジックとを備え、イントラ符号化されたマクロブロックは、以下のように第１の予測モードの下で予測されたピクセル値のＭ×Ｎサブブロックを含み、
ｉ＝０−（Ｎ−１）、ｊ＝０−（Ｍ−１）について、
ｔ0〜ｔN及びｌ0〜ｌMが使用可能である場合、
Ｐij＝（ｔ0＋．．．＋ｔN＋ｌ0＋．．．＋ｌM＋Ｎ／２＋Ｍ／２）／（Ｍ＋Ｎ）、
そうでなければ、ｔ0〜ｔNのみが使用可能である場合、
Ｐij＝（ｔ0＋．．．＋ｔN＋Ｎ／２）／Ｎ、
そうでなければ、ｌ0〜ｌMのみが使用可能である場合、
Ｐij＝（ｌ0＋．．．＋ｌM＋Ｍ／２）／Ｍ、
そうでなければ、
Ｐij＝１２８、
ただし、Ｐijは前記Ｍ×Ｎサブブロックのピクセル値であり、ｉ及びｊは前記Ｍ×Ｎサブブロック内の行と列の位置を示すインデックスであり、
ｔ0〜ｔNは前記Ｍ×Ｎサブブロックの上の隣接サブブロックのピクセル値であり、
ｌ0〜ｌmは前記Ｍ×Ｎサブブロックの左の隣接サブブロックのピクセル値である装置。